(57)【特許請求の範囲】
【請求項１】
スイッチ素子を備えた実装基板と、前面板と、前記実装基板および前記前面板との間に配設されたボタン押さえ部材と、前記前面板および前記ボタン押さえ部材とによって当該前面板に対して揺動可能に保持され前記スイッチ素子を押圧するボタンと、押圧力から解放された前記ボタンを押圧前の状態に復帰させるボタン復帰部材とを備えた操作装置において、前記ボタンの外壁面に突設され当該ボタンの揺動時に動作支点となる外側支点部と、前記ボタンの内壁面に突設され当該ボタンの揺動時に動作支点となる内側支点部と、前記前面板に設けられ前記外側支点部を回動自在に保持する外側支点部用保持部と、前記ボタン押さえ部材に設けられ前記内側支点部を回動自在に保持する内側支点部用保持部とを設けるとともに、前記外側支点部の上端面部及び前記内側支点部の下端面部を半円形状に形成し、前記外側支点部の半円の中心と前記内側支点部の半円の中心とを前記ボタンの回動中心となるように同一直線上に配置したことを特徴とする操作装置。
【請求項２】
ボタン復帰部材はボタン押さえ部材上に敷設されたクッション部材としたことを特徴とする請求の範囲第１項記載の操作装置。
【請求項３】
ボタン復帰部材はボタン押さえ部材の保持部に一体的に設けられた弾性片としたことを特徴とする請求の範囲第１項記載の操作装置。
【請求項４】
ボタンを背面側から照光する照光素子を実装基板に設けるとともに、フランジ部を前記ボタンの開口周縁部に連続的に設けたことを特徴とする請求の範囲第１項記載の操作装置。
【発明の詳細な説明】
【０００１】
【技術分野】
カーオーディオなどに使用され、いわゆるシーソー動作によってスイッチ入力操作を行う操作装置に関するものである。
【０００２】
【背景技術】
カーオーディオなどの操作パネルには、各種のスイッチ入力操作を行う操作装置が設けられている。この操作装置には、例えば、テープの早送りと巻き戻しのような２種類の機能が選択できるように、いわゆるシーソー動作によってスイッチ入力操作を行う押圧ボタン（以下、単に「ボタン」と記す。）が備えられている。また、かかる操作装置のボタンは、暗所における視認性を確保するために、背面から照光可能に形成されていることが多い。
以下、かかる従来の操作装置について、添付の図面にしたがって説明する。第２２図は従来の操作装置を示す要部斜視図、第２３図はボタンを示す平面図、第２４図はボタンを示す側面図、第２５図はボタンを示す背面図、第２６図はボタンを示す側面図、第２７図は第２３図のＪ−Ｊ断面図、第２８図は第２２図のＨ−Ｈ断面図、第２９図は第２２図のＩ−Ｉ断面図、第３０図はボタンの動作状態を示す断面図である。
図において、３１はシーソー動作によってスイッチ入力操作を行うボタンであり、開口部３１ａを有した箱状に形成されている。なお、このボタン３１は透光性を有する樹脂などによって形成されている。３１ｂは開口部３１ａの外周縁部に形成されたフランジ部、３１ｃはシーソー動作の支点となる円柱状の支軸であり、ボタン３１の両側面からフランジ部３１ｂと面一となるように突設され、後述する保持部３３ａ，３５ｂによって回動自在に保持されるものである。３１ｄは支軸３１ｃの近傍のフランジ部に設けられた切り欠き部、３２はプリント配線板、３３はボタン押さえ部材、３３ａはボタン押さえ部材３３の切り欠き部３１ｄに対応する位置に立設され、支軸３１ｃを下方から保持する保持部、３４はボタン３１を動作させた後にこれを動作前の位置に復帰させるクッション部材、３５は意匠パネル、３５ａはボタン３１を挿通するボタン挿通孔、３５ｂは支軸３１ｃを保持部３３ａとともに回動自在に保持する保持部、３６はボタン３１のシーソー動作時に押圧されるスイッチ素子、３７はボタン３１を背面から照光するランプである。
次に動作について説明する。
第３０図に示すように、ボタン３１を図中の矢印方向から押圧すると、当該ボタン３１は支軸３１ｃを回動中心として傾斜する。すると、フランジ部３１ｂがクッション部材３４を押圧して弾性変形させながら、一方のスイッチ素子３６を押圧し、これによって所定の入力操作がなされる。そして、ボタン３１が上記押圧力から解放されると、クッション部材３４の弾発力によって押し戻され、押圧前の位置に復帰する。
なお、暗所における操作にあっては、ボタン３１がランプ３７によって照光され、視認性が確保される。
【０００３】
次に従来の他の操作装置について説明する。
第３１図は従来の他の操作装置を示す要部斜視図、第３２図はボタンを示す平面図、第３３図はボタンを示す側面図、第３４図はボタンを示す背面図、第３５図はボタンを示す側面図、第３６図は第３２図のＭ−Ｍ断面図、第３７図は第３１図のＫ−Ｋ断面図、第３８図は第３１図のＬ−Ｌ断面図である。なお、以下の説明において、既に説明した部材と同一の部材には同一の符号を付して重複説明を省略する。
図において、４１はシーソー動作によってスイッチ入力操作を行うボタンであり、開口部４１ａを有した箱状に形成されている。なお、このボタン４１は透光性を有する樹脂などによって形成されている。４１ｂは開口部４１ａの外周縁部に連続的に形成されたフランジ部、４１ｃはシーソー動作の支点となる円柱状の支軸であり、ボタン４１の両側面からフランジ部４１ｂよりも突出するように形成され、保持部３３ａ，３５ｂによって回動自在に保持されるものである。
動作は上述した第一の従来技術に係る操作装置の場合と同様であるので、重複説明を省略する。
【発明の開示】
【発明が解決しようとする課題】
【０００４】
従来の操作装置は以上のように構成されているので、ボタン３１の動作時における保持部３５ｂの動作スペースを確保するために、フランジ部３１ｂに切り欠き部３１ｄを設けなければならず、この切り欠き部３１ｄからランプ３７の光が漏れてしまうなどの課題があった。
【０００５】
また、シーソー動作を円滑にするためには、支軸３１ｃの直径を小さく形成し、保持部３３ａ，３５ｂとの摩擦抵抗を軽減させることが有効であるが、支軸３１ｃの剛性を考慮すると、当該直径を小さくすることに限界があり、上記摩擦抵抗の軽減に苦慮していたなどの課題があった。
【０００６】
さらに、スイッチ入力後のボタン３１の初期状態への復帰は、クッション部材３４を別途用いて行わなければならず、部品点数の増加と組立工数の増加によりコストアップとなってしまうなどの課題があった。
【０００７】
また、従来の他の操作装置は以上のように構成されているので、ボタン４１の全周に形成されたフランジ部４１ｂによって、ランプ３７の光が漏れることを防止できるものの、ボタン４１の支軸４１ｃがフランジ部４１ｂよりも突出し、ボタン４１の外径が大きくなってしまうなどの課題があった。なお、装置の小型化を阻害することなく光漏れの防止を図った従来技術として、例えば、特開平９−２２３４３７号公報に開示されたものもある。
【０００８】
この発明は上記のような課題を解決するためになされたもので、ボタンの照光時における光漏れを軽減できるとともに、ボタン形状を小型化でき、ボタンのシーソー動作を円滑に行うことができる操作装置を得ることを目的とする。
また、この発明はスイッチ入力後のボタンの初期状態への復帰を、別途のクッション部材を用いることなく行うことができ、コストを低減できる操作装置を得ることを目的とする。
【０００９】
【課題を解決するための手段】
この発明は、ボタンの外壁面に突設された外側支点部と、前記ボタンの内壁面に突設された内側支点部と、前面板に設けられ前記外側支点部を回動自在に保持する外側支点部用保持部と、ボタン押さえ部材に設けられ前記内側支点部を回動自在に保持する内側支点部用保持部とを備え、外側支点部の上端面部及び内側支点部の下端面部を半円形状に形成し、外側支点部の半円の中心と内側支点部の半円の中心とをボタンの回動中心となるように同一直線上に配置したものである。
【００１０】
この発明は、ボタン復帰部材はボタン押さえ部材上に敷設されたクッション部材としたものである。
【００１１】
この発明は、ボタン復帰部材はボタン押さえ部材の保持部に一体的に設けられた弾性片としたものである。
【００１２】
この発明は、クッション部材を備えた操作装置のボタンを背面側から照光する照光素子を実装基板に設けるとともに、フランジ部を前記ボタンの開口周縁部に連続的に設けたものである。
【００１３】
【発明の効果】
この発明は、ボタンの外壁面に突設された外側支点部と、前記ボタンの内壁面に突設された内側支点部と、前面板に設けられ前記外側支点部を回動自在に保持する外側支点部用保持部と、ボタン押さえ部材に設けられ前記内側支点部を回動自在に保持する内側支点部用保持部とを備え、外側支点部の上端面部及び内側支点部の下端面部を半円形状に形成し、外側支点部の半円の中心と内側支点部の半円の中心とをボタンの回動中心となるように同一直線上に配置したものである。
このことによって、剛性を確保しつつ、外側支点部を従来よりも小さく形成できるので、ボタンを小型化でき、シーソー動作を円滑に行うことができる効果がある。
【００１４】
この発明は、ボタン復帰部材はボタン押さえ部材上に敷設されたクッション部材としたものである。
このことによって、簡易な構成にてボタンを押圧前の状態に復帰できる効果がある。
【００１５】
この発明は、ボタン復帰部材はボタン押さえ部材の保持部に一体的に設けられた弾性片としたものである。
このことによって、クッション部材などの別部品を削減することができ、組立行程の簡略化とコストダウンを図ることができる効果がある。
【００１６】
この発明は、クッション部材を備えた操作装置のボタンを背面側から照光する照光素子を実装基板に設けるとともに、フランジ部を前記ボタンの開口周縁部に連続的に設けたものこのことによって、光漏れを低減できる効果がある。
【００１７】
【発明を実施するための最良の形態】
以下、この発明をより詳細に説明するために、この発明を実施するための最良の形態について、添付の図面にしたがって説明する。
実施の形態１．
第１図はこの発明の実施の形態１による操作装置を示す要部斜視図、第２図はボタンを示す正面斜視図、第３図は一部を断面表示したボタンを示す正面斜視図、第４図はボタンを示す背面斜視図、第５図はボタンを示す平面図、第６図はボタンを示す側面図、第７図はボタンを示す背面図、第８図はボタンを示す側面図、第９図は第５図のＤ−Ｄ断面図、第１０図は第１図のＡ−Ａ断面図、第１１図は第１図のＢ−Ｂ断面図、第１２図は第１１図におけるボタンの外側支点部付近を示す拡大図、第１３図は第１図のＣ−Ｃ断面図、第１４図はボタンの動作状態を示す断面図である。
【００１８】
図において、１はシーソー動作によってスイッチ入力操作を行うボタンであり、開口部１ａを有した箱状に形成されている。１ｂは開口部１ａの外周縁部に連続的に形成されたフランジ部、１ｃはシーソー動作の支点となる外側支点部であり、ボタン１の外壁面中央から外方に向かってフランジ部１ｂと面一となるように突設され、後述する保持部５ｂによって回動自在に保持されるものである。この外側支点部１ｃの上端面部は、後述する保持部５ｂとの摩擦抵抗を軽減すべく半円形状に形成され、根元部はフランジ部１ｂと連続的に一体形成されている。この外側支点部１ｃは、ボタン１の外壁面およびフランジ部１ｂと連続的に一体形成することで十分な剛性が確保されており、上記半円形状の外径を従来よりも小さく形成してある。
【００１９】
１ｄは後述する保持部５ｂの動作スペースとして形成された凹部、１ｅは外側支点部１ｃとともにシーソー動作の支点となる内側支点部であり、ボタン１の内壁面中央から内方に向かって突設され、後述する保持部３ａ上に載置されるものである。この内側支点部１ｅの下端部は半円形状に形成され、当該半円の中心と上記外側支点部１ｃの半円の中心は、ボタン１の回動中心となるように同一直線上に配置されている。このようなボタン１は、所定の透光性を有するように、光拡散材を有した樹脂（例えば、ＰＣ樹脂やＡＢＳ樹脂）などによって一体成形されている。
【００２０】
２はプリント配線板（実装基板）、３はプリント配線板２上に配置されたボタン押さえ部材であり、内側支点部１ｅを下方から当接保持するための保持部（内側支点部用保持部）３ａが立設されている。すなわち、この保持部３ａは、ボタン１に内包される位置に立設されている点において従来の保持部３３ａと異なっている。なお、このボタン押さえ部材３は上記ボタン１と同様の材質にて形成することができる。４はボタン１を押圧した後にこれを押圧前の位置に復帰させるためにボタン１の下方に敷設されたクッション部材（ボタン復帰部材）であり、例えば、ゴムスポンジや発砲ウレタンなどにより形成されている。
【００２１】
５は意匠パネル（前画板）、５ａはボタン１を挿通するボタン挿通孔、５ｂは外側支点部１ｃを回動自在に保持するために意匠パネル５の裏面から下方に突設した保持部（外側支点部用保持部）、６はプリント配線板２上に配設されボタン１のシーソー動作時に押圧されるスイッチ素子、７はプリント配線板２上に配設されボタン１を背面から照光するランプ（照光素子）であり、例えば、ＬＥＤなどを使用することができる。
【００２２】
なお、上記図示例においては、説明の便宜上、ボタン１を１つ使用した操作装置について説明したが、操作装置をカーオーディオなどの操作パネルに適用する場合には、当該ボタン１を必要に応じて複数配設して構成することができる。
次に動作について説明する。
【００２３】
第１４図に示すように、ボタン１を図中の矢印方向から押圧すると、当該ボタン１は外側支点部１ｃを回動中心として傾斜する。すると、フランジ部１ｂがクッション部材４を押圧して弾性変形させながら、一方のスイッチ素子６を押圧し、これによって所定の入力操作がなされる。そして、ボタン１が上記押圧力から解放されると、クッション部材４の弾発力によって押し戻され、押圧前の位置に復帰する。
【００２４】
また、外側支点部１ｃの上端面部の外径が従来よりも小さく形成されているので、ボタン１のシーソー動作時において外側支点部１ｃと保持部５ｂとの摩擦抵抗を軽減することができ、従来よりも円滑に押圧操作ができる。
【００２５】
暗所における操作にあっては、ボタン１がランプ７によって照光され、視認性が確保される。その際、フランジ部１ｂが開口部１ａの外周縁部に連続的に形成されているので、ランプ７の光がボタン挿通孔５ａなどから漏れるのを軽減できる。
【００２６】
以上のように、この実施の形態１によれば、ボタン１を、外側支点部１ｃと保持部５ｂ、内側支点部１ｅと保持部３ａによって保持しているので、外側支点部１ｃの突出量とその上端面部の外径とを従来よりも小さく形成できるとともに、フランジ部１ｂを開口部１ａの外周縁部に連続的に形成できる。したがって、ボタン１を小型化でき、シーソー動作を円滑に行うことができるとともに、ランプ７の照光時における光漏れを軽減できる効果が得られる。
【００２７】
なお、上記実施の形態１においては、ランプ７をプリント配線板２に設けるとともに、フランジ部１ｂをボタン１に設けるものとして説明したが、これに限定されず、暗所における操作を必要としない場合には、必ずしもこれらを設けなくても良い。
【００２８】
実施の形態２．
第１５図はこの発明の実施の形態２による操作装置を示す要部斜視図、第１６図は第１５図のＥ−Ｅ断面図、第１７図は第１５図のＦ−Ｆ断面図、第１８図は第１７図におけるボタンの外側支点部付近を示す拡大図、第１９図は第１５図のＧ−Ｇ断面図、第２０図はボタンの動作状態を示す断面図である。
【００２９】
図において、１０はフランジ部１ｂの下面と当接するように、ボタン押さえ部材３の一方の保持部３ａに一体成形された弾性片（ボタン復帰部材）であり、ボタン１を押圧した後にこれを押圧前の位置に復帰させるためのものである。すなわち、上述したクッション部材４の代わりをなすものである。ｔは弾性片１０の厚みである。
【００３０】
次に動作について説明する。
第２０図に示すように、ボタン１を図中の矢印方向から押圧すると、当該ボタン１は外側支点部１ｃを回動中心として傾斜する。すると、フランジ部１ｂが弾性片１０の一端を押圧して弾性変形させながら、一方のスイッチ素子６を押圧し、これによって所定の入力操作がなされる。そして、ポタン１が上記押圧力から解放されると、弾性片１０の弾発力によって押し戻され、押圧前の位置に復帰する。その他の動作は上記実施の形態１の場合と同様であるので、重複説明を省略する。
【００３１】
以上のように、この実施の形態２によれば、上記実施の形態１の場合と同様の効果が得られるほか、弾性片１０をボタン押さえ部材３に一体成形して設けたことにより、クッション部材４などの別部品を削減することができ、組立行程の簡略化とコストダウンを図ることができる効果が得られる。
【００３２】
なお、上記実施の形態２においては、弾性片１０を一方の保持部３ａに設けるものとして説明したが、これに限定されず、両方の保持部３ａにそれぞれ設けても良く、上述した効果と同様の効果を期待できる。
【００３３】
また、第２１図に示したように、厚みを変えた弾性片２０を用いることにより（図示例では弾性片１０の厚みの２倍）、その弾性力を変えてボタン１の操作感を自由に変えることもできる。ここで、第２１図は厚みを変えた弾性片の適用例を示す断面図である。
また、ランプ７をプリント配線板２に設けるとともに、フランジ部１ｂをボタン１に設けるものとして説明したが、これに限定されず、暗所における操作を必要としない場合には、必ずしもこれらを設けなくても良い。
【００３４】
【産業上の利用可能性】
以上のように、この発明に係る操作装置は、ボタンの照光時における光漏れの軽減やボタン形状の小型化、円滑なシーソー動作などを要求されるカーオーディオなどに適している。
【００３５】
【図面の簡単な説明】
【図１】  この発明の実施の形態１による操作装置を示す要部斜視図である。
【図２】  図１はボタンを示す正面斜視図である。
【図３】  一部を断面表示したボタンを示す正面斜視図である。
【図４】  ボタンを示す背面斜視図である。
【図５】  ボタンを示す平面図である。
【図６】  ボタンを示す側面図である。
【図７】  ボタンを示す背面図である。
【図８】  ボタンを示す側面図である。
【図９】  図５のＤ−Ｄ断面図である。
【図１０】  図１のＡ−Ａ断面図である。
【図１１】  図１のＢ−Ｂ断面図である。
【図１２】  図１１におけるボタンの外側支点部付近を示す拡大図である。
【図１３】  図１のＣ−Ｃ断面図である。
【図１４】  ボタンの動作状態を示す断面図である。
【図１５】  この発明の実施の形態２による操作装置を示す要部斜視図である。
【図１６】  図１５のＥ−Ｅ断面図である。
【図１７】  図１５のＦ−Ｆ断面図である。
【図１８】  図１７におけるボタンの外側支点部付近を示す拡大図である。
【図１９】  図１５のＧ−Ｇ断面図である。
【図２０】  ボタンの動作状態を示す断面図である。
【図２１】  厚みを変えた弾性片の適用例を示す断面図である。
【図２２】  従来の操作装置を示す要部斜視図である。
【図２３】  ボタンを示す平面図である。
【図２４】  ボタンを示す側面図である。
【図２５】  ボタンを示す背面図である。
【図２６】  ボタンを示す側面図である。
【図２７】  図２３のＪ−Ｊ断面図である。
【図２８】  図２２のＨ−Ｈ断面図である。
【図２９】  図２２のＩ−Ｉ断面図である。
【図３０】  ボタンの動作状態を示す断面図である。
【図３１】  従来の他の操作装置を示す要部斜視図である。
【図３２】  ボタンを示す平面図である。
【図３３】  ボタンを示す側面図である。
【図３４】  ボタンを示す背面図である。
【図３５】  ボタンを示す側面図である。
【図３６】  図３２のＭ−Ｍ断面図である。
【図３７】  図３１のＫ−Ｋ断面図である。
【図３８】  図３１のＬ−Ｌ断面図である。
【符号の説明】
１  ボタン、２  プリント配線板（実装基板）、３  ボタン押さえ部材、３ａ  保持部（内側支点部用保持部）、４  クッション部材（ボタン復帰部材）、５  意匠パネル（前面板）、５ａ  ボタン挿通孔、５ｂ  保持部（外側支点部用保持部）、７  ランプ（照光素子）、１０  弾性片（ボタン復帰部材）。
【図１】
0004141643.tif 000002
【図２】
0004141643.tif 000003
【図３】
0004141643.tif 000004
【図４】
0004141643.tif 000005
【図５】
0004141643.tif 000006
【図６】
0004141643.tif 000007
【図７】
0004141643.tif 000008
【図８】
0004141643.tif 000009
【図９】
0004141643.tif 000010
【図１０】
0004141643.tif 000011
【図１１】
0004141643.tif 000012
【図１２】
0004141643.tif 000013
【図１３】
0004141643.tif 000014
【図１４】
0004141643.tif 000015
【図１５】
0004141643.tif 000016
【図１６】
0004141643.tif 000017
【図１７】
0004141643.tif 000018
【図１８】
0004141643.tif 000019
【図１９】
0004141643.tif 000020
【図２０】
0004141643.tif 000021
【図２１】
0004141643.tif 000022
【図２２】
0004141643.tif 000023
【図２３】
0004141643.tif 000024
【図２４】
0004141643.tif 000025
【図２５】
0004141643.tif 000026
【図２６】
0004141643.tif 000027
【図２７】
0004141643.tif 000028
【図２８】
0004141643.tif 000029
【図２９】
0004141643.tif 000030
【図３０】
0004141643.tif 000031
【図３１】
0004141643.tif 000032
【図３２】
0004141643.tif 000033
【図３３】
0004141643.tif 000034
【図３４】
0004141643.tif 000035
【図３５】
0004141643.tif 000036
【図３６】
0004141643.tif 000037
【図３７】
0004141643.tif 000038
【図３８】
0004141643.tif 000039